(57)【要約】【課題】リレーノード内の干渉を低減する。【解決手段】本発明に係る移動通信方法は、無線基地局ＤｅＮＢが、所定トリガを検出した場合に、無線基地局ＤｅＮＢとリレーノードＲＮとの間で設定されているＲＲＣコネクションの構成を変更するための信号によって、リレーノードＲＮに対して、ＭＢＳＦＮサブフレームの送信タイミングを通知する工程Ａと、無線基地局ＤｅＮＢが、ＭＢＳＦＮサブフレームの送信タイミングでリレーノードＲＮに対して下り信号を送信するようにスケジューリングを行う工程Ｂと、リレーノードＲＮが、ＭＢＳＦＮサブフレームの送信タイミング以外のタイミングで下り信号を送信するようにスケジューリングを行う工程Ｃとを有する。【選択図】図６
2011004372.tif 000002
【特許請求の範囲】
【請求項１】
無線基地局が、所定トリガを検出した場合に、該無線基地局とリレーノードとの間で設定されているコネクションの構成を変更するための信号によって、該リレーノードに対して、所定タイミングを通知する工程Ａと、
前記無線基地局が、前記所定タイミングで前記リレーノードに対して下り信号を送信するようにスケジューリングを行う工程Ｂと、
前記リレーノードが、前記所定タイミング以外のタイミングで下り信号を送信するようにスケジューリングを行う工程Ｃとを有することを特徴とする移動通信方法。
【請求項２】
前記コネクションは、ＲＲＣコネクションであり、
前記信号は、「ＲＲＣ  Ｃｏｎｎｅｃｔｉｏｎ  Ｒｅｃｏｎｆｉｇｕｒａｔｉｏｎ」であることを特徴とする請求項１に記載の移動通信方法。
【請求項３】
前記所定タイミングは、ＭＢＳＦＮサブフレームの送信タイミングであることを特徴とする請求項１又は２に記載の移動通信方法。
【請求項４】
無線基地局であって、
所定トリガを検出した場合に、リレーノードとの間で設定されているコネクションの構成を変更するための信号によって、該リレーノードに対して、所定タイミングを通知するように構成されている通知部と、
前記所定タイミングで前記リレーノードに対して下り信号を送信するようにスケジューリングを行うように構成されているスケジューリング部とを具備することを特徴とする無線基地局。
【請求項５】
前記コネクションは、ＲＲＣコネクションであり、
前記信号は、「ＲＲＣ  Ｃｏｎｎｅｃｔｉｏｎ  Ｒｅｃｏｎｆｉｇｕｒａｔｉｏｎ」であることを特徴とする請求項４に記載の無線基地局。
【請求項６】
前記所定タイミングは、ＭＢＳＦＮサブフレームの送信タイミングであることを特徴とする請求項４又は５に記載の無線基地局。
【請求項７】
リレーノードであって、
無線基地局から、該無線基地局と前記リレーノードとの間で設定されているコネクションの構成を変更するための信号を受信し、該信号から、所定タイミングを取得するように構成されている取得部と、
前記所定タイミング以外のタイミングで下り信号を送信するようにスケジューリングを行うように構成されているスケジューリング部とを具備することを特徴とするリレーノード。
【請求項８】
前記コネクションは、ＲＲＣコネクションであり、
前記信号は、「ＲＲＣ  Ｃｏｎｎｅｃｔｉｏｎ  Ｒｅｃｏｎｆｉｇｕｒａｔｉｏｎ」であることを特徴とする請求項７に記載のリレーノード。
【請求項９】
前記所定タイミングは、ＭＢＳＦＮサブフレームの送信タイミングであることを特徴とする請求項７又は８に記載のリレーノード。
【発明の詳細な説明】
【技術分野】
【０００１】
本発明は、移動通信方法、無線基地局及びリレーノードに関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【０００３】
かかるＬＴＥ-Ａｄｖａｎｃｅｄ方式の移動通信システムでは、移動局ＵＥとコアノードＣＮ（Ｃｏｒｅ  Ｎｏｄｅ）との間で、Ｅ-ＲＡＢ（Ｅ-ＵＴＲＡＮ  Ｒａｄｉｏ  Ａｃｃｅｓｓ  Ｂｅａｒｅｒ）が設定され、移動局ＵＥとリレーノードＲＮとの間で、Ｕｕ無線ベアラが設定され、リレーノードＲＮと無線基地局ＤｅＮＢとの間で、Ｕｎ無線ベアラが設定され、無線基地局ＤｅＮＢとコアノードＣＮとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【非特許文献４】３ＧＰＰ  Ｒ１-０８４６８６、「Ｕｐｄａｔｅｄ  ＷＦ ｏｎ  ａｄｄｒｅｓｓｉｎｇ  ｆｏｒｗａｒｄ  ｃｏｍｐａｔｉｂｉｌｉｔｙ  ｉｎ  Ｒｅｌ-８」、２００８年１１月
【発明の概要】
【発明が解決しようとする課題】
【０００５】
しかしながら、かかる移動通信システムにおいて、リレーノードＲＮによる無線基地局ＤｅＮＢからの下り信号の受信処理（Ｕｎ無線ベアラにおける受信処理）とリレーノードＲＮによる移動局ＵＥへの下り信号の送信処理（Ｕｕ無線ベアラにおける送信処理）とが同時に行われる場合や、リレーノードＲＮによる移動局ＵＥからの上り信号の受信処理（Ｕｕ無線ベアラにおける受信処理）とリレーノードＲＮによる無線基地局ＤｅＮＢへの上り信号の送信処理（Ｕｎ無線ベアラにおける送信処理）とが同時に行われる場合、リレーノードＲＮの送信信号がＲＮ自身の受信機に回り込み、干渉が発生してしまうという問題点があった。
【０００６】
そこで、本発明は、上述の課題に鑑みてなされたものであり、Ｕｎ無線ベアラにおける送受信処理及びＵｕ無線ベアラにおける送受信処理が同時に行われることから引き起こされるリレーノード自身の受信機への干渉を低減することができる移動通信方法、無線基地局及びリレーノードを提供することを目的とする。
【課題を解決するための手段】
【０００７】
本発明の第１の特徴は、移動通信方法であって、無線基地局が、所定トリガを検出した場合に、該無線基地局とリレーノードとの間で設定されているコネクションの構成を変更するための信号によって、該リレーノードに対して、所定タイミングを通知する工程Ａと、前記無線基地局が、前記所定タイミングで前記リレーノードに対して下り信号を送信するようにスケジューリングを行う工程Ｂと、前記リレーノードが、前記所定タイミング以外のタイミングで下り信号を送信するようにスケジューリングを行う工程Ｃとを有することを要旨とする。
【０００８】
本発明の第２の特徴は、無線基地局であって、所定トリガを検出した場合に、リレーノードとの間で設定されているコネクションの構成を変更するための信号によって、該リレーノードに対して、所定タイミングを通知するように構成されている通知部と、前記所定タイミングで前記リレーノードに対して下り信号を送信するようにスケジューリングを行うように構成されているスケジューリング部とを具備することを要旨とする。
【０００９】
本発明の第３の特徴は、リレーノードであって、無線基地局から、該無線基地局と前記リレーノードとの間で設定されているコネクションの構成を変更するための信号を受信し、該信号から、所定タイミングを取得するように構成されている取得部と、前記所定タイミング以外のタイミングで下り信号を送信するようにスケジューリングを行うように構成されているスケジューリング部とを具備することを要旨とする。
【発明の効果】
【００１０】
以上説明したように、本発明によれば、Ｕｎ無線ベアラにおける送受信処理及びＵｕ無線ベアラにおける送受信処理が同時に行われることから引き起こされるリレーノード自身の受信機への干渉を低減することができる移動通信方法、無線基地局及びリレーノードを提供することができる。
【図面の簡単な説明】
【００１１】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける「ＲＲＣ  Ｃｏｎｎｅｃｔｉｏｎ  Ｒｅｃｏｎｆｉｇｕｒａｔｉｏｎ」のフォーマットの一例を示す図である。
【図４】本発明の第１の実施形態に係る移動通信システムにおいてサブフレームパターンを通知する方法の一例について説明するための図である。
【図５】本発明の第１の実施形態に係るリレーノードの機能ブロック図である。
【図６】本発明の第１の実施形態に係る移動通信システムの動作を示すシーケンス図である。
【図７】本発明の第１の実施形態の変更例１に係る移動通信システムの動作を示すシーケンス図である。
【発明を実施するための形態】
【００１２】
（本発明の第１の実施形態に係る移動通信システムの構成）
図１乃至図５を参照して、本発明の第１の実施形態に係る移動通信システムの構成について説明する。
【００１３】
図１に示すように、本実施形態に係る移動通信システムは、ＬＴＥ-Ａｄｖａｎｃｅｄ方式の移動通信システムであって、コアネットワークノード内のコアノード（例えば、ゲートウェイ装置Ｓ-ＧＷや交換局ＭＭＥ等）や、無線基地局ＤｅＮＢや、リレーノードＲＮ等を具備している。
【００１４】
ここで、図１の例では、無線基地局ＤｅＮＢと移動局ＵＥとの間には、Ｕｕ無線ベアラが設定されており、無線基地局ＤｅＮＢとリレーノードＲＮとの間には、Ｕｎ無線ベアラが設定されており、リレーノードＲＮと移動局ＵＥとの間には、Ｕｕ無線ベアラが設定されている。
【００１５】
また、無線基地局ＤｅＮＢとリレーノードＲＮとの間では、ＳＦＮ（Ｓｙｓｔｅｍ  Ｆｒａｍｅ  Ｎｕｍｂｅｒ）同期が取られているものとする。すなわち、リレーノードＲＮが、無線基地局ＤｅＮＢによって送信されている報知情報に含まれているＳＦＮに基づいて、無線基地局ＤｅＮＢに対してＳＦＮレベルで同期を取るように構成されている。
【００１６】
また、無線基地局ＤｅＮＢとリレーノードＲＮとの間でＳＦＮ同期が取られていない場合、無線基地局ＤｅＮＢは、自信が送信する無線フレームのＳＦＮとリレーノードＲＮが送信する無線フレームのＳＦＮとが同時刻で何フレームずれているか（リレーノードＲＮと第２無線基地局Ｓ-ＤｅＮＢとの間のＳＦＮのずれ）について把握するように構成されている。
【００１７】
また、無線基地局ＤｅＮＢ及びリレーノードＲＮは、時分割多重方式で、上り信号及び下り信号を送信するように構成されている。
【００１８】
図２に示すように、無線基地局ＤｅＮＢは、受信部１１と、送信部１２と、スケジューリング部１３と、決定部１４とを具備している。
【００１９】
受信部１１は、Ｕｎ無線ベアラを介してリレーノードＲＮから送信された上り信号や、Ｕｕ無線ベアラを介して移動局ＵＥから送信された上り信号や、コアノードＣＮから送信された下り信号を受信するように構成されている。
【００２０】
送信部１２は、Ｕｎ無線ベアラを介してリレーノードＲＮに対して下り信号を送信し、Ｕｕ無線ベアラを介して移動局ＵＥに対して下り信号を送信し、コアノードＣＮに対して上り信号を送信するように構成されている。
【００２１】
また、送信部１２は、所定トリガを検出した場合、「ＲＲＣ  Ｃｏｎｎｅｃｔｉｏｎ  Ｒｅｃｏｎｆｉｇｕｒａｔｉｏｎ」によって、リレーノードＲＮに対して、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームの送信タイミングを通知するように構成されていてもよい。
【００２２】
例えば、図３に示すように、送信部１２は、「ＲＲＣ  Ｃｏｎｎｅｃｔｉｏｎ  Ｒｅｃｏｎｆｉｇｕｒａｔｉｏｎ」内の情報要素「ｃｒｉｔｉｃａｌＥｘｔｅｎｓｉｏｎｓ」内の「ｃｒｉｔｉｃａｌＥｘｔｅｎｓｉｏｎｓＦｕｔｕｒｅ」（Ｘ）に、ＭＢＳＦＮサブフレームの送信タイミングを示す「ＭＢＳＦＮサブフレーム割り当てパターン（図４参照）」を設定してもよい。
【００２３】
ここで、ＭＢＳＦＮサブフレームは、ＭＢＳＦＮ用通信で用いられるサブフレームである。なお、本明細書において、ＭＢＳＦＮサブフレームには、３ＧＰＰ会合において「Ｂｌａｎｋサブフレーム」と呼ばれている制御信号用ＯＦＤＭシンボルが送信されないように規定されているＭＢＳＦＮサブフレームも含まれるものとする。
【００２４】
また、「ＲＲＣ  Ｃｏｎｎｅｃｔｉｏｎ  Ｒｅｃｏｎｆｉｇｕｒａｔｉｏｎ」は、無線基地局ＤｅＮＢとリレーノードＲＮとの間のＲＲＣコネクションの構成を変更するための信号である。
【００２５】
例えば、送信部１２は、無線基地局ＤｅＮＢに予め設定されているＲＲＣコネクションの変更条件が満たされた場合に、所定トリガを検出したと判定するように構成されていてもよい。
【００２６】
決定部１４は、リレーノードＲＮに対して通知すべきＭＢＳＦＮサブフレームの送信タイミングを決定するように構成されている。
【００２７】
例えば、決定部１４は、無線基地局ＤｅＮＢ配下のリレーノードＲＮや移動局ＵＥの数や、トラフィック量を考慮して、リレーノードＲＮに対して通知すべきＭＢＳＦＮサブフレームの送信タイミングを決定するように構成されている。
【００２８】
スケジューリング部１３は、無線基地局ＤｅＮＢ配下のリレーノードＲＮや移動局ＵＥに係るスケジューリングを行うように構成されている。
【００２９】
具体的には、スケジューリング部１３は、ＭＢＳＦＮサブフレームの送信タイミングでリレーノードＲＮに対して下り信号を送信するようにスケジューリングを行うように構成されている。
【００３０】
図５に示すように、リレーノードＲＮは、受信部２１と、スケジューリング部２２と、送信部２３とを具備している。
【００３１】
受信部２１は、Ｕｎ無線ベアラを介して無線基地局ＤｅＮＢから送信された下り信号や、Ｕｕ無線ベアラを介して移動局ＵＥから送信された上り信号を受信するように構成されている。
【００３２】
例えば、受信部２１は、受信部２１によって受信された「ＲＲＣ  Ｃｏｎｎｅｃｔｉｏｎ  Ｒｅｃｏｎｆｉｇｕｒａｔｉｏｎ」から、ＭＢＳＦＮサブフレームの送信タイミングを取得するように構成されていてもよい。
【００３３】
スケジューリング部２２は、リレーノードＲＮ配下の移動局ＵＥに係るスケジューリングを行うように構成されている。
【００３４】
具体的には、スケジューリング部２２は、ＭＢＳＦＮサブフレームの送信タイミング以外のタイミングで下り信号を送信するようにスケジューリングを行うように構成されている。
【００３５】
すなわち、スケジューリング部２２は、スケジューリングに用いるＭＢＳＦＮサブフレームの送信タイミングを、今まで使用していたものから、「ＲＲＣ  Ｃｏｎｎｅｃｔｉｏｎ  Ｒｅｃｏｎｆｉｇｕｒａｔｉｏｎ」によって通知されたものに変更する。
【００３６】
送信部２３は、Ｕｎ無線ベアラを介して無線基地局ＤｅＮＢに対して上り信号を送信し、Ｕｕ無線ベアラを介して移動局ＵＥに対して下り信号を送信するように構成されている。
【００３７】
（本発明の第１の実施形態に係る移動通信システムの動作）
図６を参照して、本発明の第１の実施形態に係る移動通信システムの動作について説明する。
【００３８】
図６に示すように、無線基地局ＤｅＮＢは、ステップＳ１００１において、所定トリガを検出すると、ステップＳ１００２において、リレーノードＲＮに対して、既に設定されているＲＲＣコネクションの構成を変更するための「ＲＲＣ  Ｃｏｎｎｅｃｔｉｏｎ  Ｒｅｃｏｎｆｉｇｕｒａｔｉｏｎ」を送信する。
【００３９】
ここで、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、新しいＭＢＳＦＮサブフレームの送信タイミングを通知する。
【００４０】
リレーノードＲＮは、無線基地局ＤｅＮＢに対して、ステップＳ１００３において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００４１】
これ以降、リレーノードＲＮは、ステップＳ１００２において通知された新しいＭＢＳＦＮサブフレームの送信タイミング以外のタイミングで下り信号のスケジューリングを行う。
【００４２】
（本発明の第１の実施形態に係る移動通信システムの作用・効果）
本発明の第１の実施形態に係る移動通信システムによれば、無線基地局ＤｅＮＢ配下のリレーノードＲＮや移動局ＵＥの数や、トラフィック量を考慮して、リレーノードＲＮにおけるリソースを制御することができる。
【００４３】
（変更例１）
図７を参照して、本発明の第１の実施形態の変更例１に係る移動通信システムについて説明する。以下、本変更例１に係る移動通信システムについて、上述の本発明の第１の実施形態に係る移動通信システムとの相違点に着目して説明する。
【００４４】
本変更例１に係る移動通信システムでは、無線基地局ＤｅＮＢの送信部１２は、「ＲＲＣ  Ｃｏｎｎｅｃｔｉｏｎ  Ｒｅｃｏｎｆｉｇｕｒａｔｉｏｎ」の代わりに、「Ｕｎ  ＲＮ  Ｒｅｃｏｎｆｉｇｕｒａｔｉｏｎ」によって、リレーノードＲＮに対して、ＭＢＳＦＮサブフレームの送信タイミングを通知するように構成されていてもよい。
【００４５】
なお、「Ｕｎ  ＲＮ  Ｒｅｃｏｎｆｉｇｕｒａｔｉｏｎ」は、無線基地局ＤｅＮＢとリレーノードＲＮとの間で新たに規定される手順で用いられる信号である。
【００４６】
また、リレーノードＲＮの受信部２１は、上述の「Ｕｎ  ＲＮ  Ｒｅｃｏｎｆｉｇｕｒａｔｉｏｎ」から、ＭＢＳＦＮサブフレームの送信タイミングを取得するように構成されていてもよい。
【００４７】
以下、図７を参照して、本変更例１に係る移動通信システムの動作について説明する。
【００４８】
図７に示すように、無線基地局ＤｅＮＢは、ステップＳ２００１において、所定トリガを検出すると、ステップＳ２００２において、リレーノードＲＮに対して、既に設定されているＲＲＣコネクションの構成を変更するための「Ｕｎ  ＲＮ  Ｒｅｃｏｎｆｉｇｕｒａｔｉｏｎ」を送信する。
【００４９】
ここで、無線基地局ＤｅＮＢは、リレーノードＲＮに対して、「Ｕｎ  ＲＮ  Ｒｅｃｏｎｆｉｇｕｒａｔｉｏｎ」によって、新しいＭＢＳＦＮサブフレームの送信タイミングを通知する。
【００５０】
リレーノードＲＮは、無線基地局ＤｅＮＢに対して、ステップＳ２００３において、「Ｕｎ  ＲＮ  Ｒｅｃｏｎｆｉｇｕｒａｔｉｏｎ  Ｃｏｍｐｌｅｔｅ」を送信する。
【００５１】
これ以降、リレーノードＲＮは、ステップＳ２００２において通知された新しいＭＢＳＦＮサブフレームの送信タイミング以外のタイミングで下り信号のスケジューリングを行う。
【００５２】
以上に述べた本実施形態の特徴は、以下のように表現されていてもよい。
【００５３】
本実施形態の第１の特徴は、移動通信方法であって、無線基地局ＤｅＮＢが、所定トリガを検出した場合に、無線基地局ＤｅＮＢとリレーノードＲＮとの間で設定されているＲＲＣコネクション（コネクション）の構成を変更するための信号によって、リレーノードＲＮに対して、ＭＢＳＦＮサブフレームの送信タイミング（所定タイミング）を通知する工程Ａと、無線基地局ＤｅＮＢが、ＭＢＳＦＮサブフレームの送信タイミングでリレーノードＲＮに対して下り信号を送信するようにスケジューリングを行う工程Ｂと、リレーノードＲＮが、ＭＢＳＦＮサブフレームの送信タイミング以外のタイミングで下り信号を送信するようにスケジューリングを行う工程Ｃとを有することを要旨とする。
【００５４】
本実施形態の第２の特徴は、無線基地局ＤｅＮＢであって、所定トリガを検出した場合に、リレーノードＲＮとの間で設定されているＲＲＣコネクションの構成を変更するための信号によって、リレーノードＲＮに対して、ＭＢＳＦＮサブフレームの送信タイミングを通知するように構成されている送信部１２と、ＭＢＳＦＮサブフレームの送信タイミングでリレーノードＲＮに対して下り信号を送信するようにスケジューリングを行うように構成されているスケジューリング部１３とを具備することを要旨とする。
【００５５】
本実施形態の第３の特徴は、リレーノードＲＮであって、無線基地局ＤｅＮＢから、無線基地局ＤｅＮＢとリレーノードＲＮとの間で設定されているＲＲＣコネクションの構成を変更するための信号を受信し、かかる信号から、ＭＢＳＦＮサブフレームの送信タイミングを取得するように構成されている受信部２１と、ＭＢＳＦＮサブフレームの送信タイミング以外のタイミングで下り信号を送信するようにスケジューリングを行うように構成されているスケジューリング部２２とを具備することを要旨とする。
【００５６】
本実施形態の第１乃至３の特徴において、上述の信号は、「ＲＲＣ  Ｃｏｎｎｅｃｔｉｏｎ  Ｒｅｃｏｎｆｉｇｕｒａｔｉｏｎ」であってもよいし、「Ｕｎ  ＲＮ  Ｒｅｃｏｎｆｉｇｕｒａｔｉｏｎ」であってもよい。
【００５７】
なお、上述の無線基地局ＤｅＮＢやリレーノードＲＮやコアノードＣＮや移動局ＵＥの動作は、ハードウェアによって実施されてもよいし、プロセッサによって実行されるソフトウェアモジュールによって実施されてもよいし、両者の組み合わせによって実施されてもよい。
【００５８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮやコアノードＣＮや移動局ＵＥ内に設けられていてもよい。また、かかる記憶媒体及びプロセッサは、ディスクリートコンポーネントとして無線基地局ＤｅＮＢやリレーノードＲＮやコアノードＣＮや移動局ＵＥ内に設けられていてもよい。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６１】
ＤｅＮＢ…無線基地局
１１…受信部
１２…送信部
１３…スケジューリング部
１４…決定部
ＲＮ…リレーノード
２１…受信部
２２…スケジューリング部
２３…送信部
【図１】
2011004372.tif 000003
【図２】
2011004372.tif 000004
【図３】
2011004372.tif 000005
【図４】
2011004372.tif 000006
【図５】
2011004372.tif 000007
【図６】
2011004372.tif 000008
【図７】
2011004372.tif 000009
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
無線基地局が、所定トリガを検出した場合に、該無線基地局とリレーノードとの間で設定されているコネクションの構成を変更するための信号によって、該リレーノードに対して、ＭＢＳＦＮサブフレームの送信タイミングを通知する工程Ａと、
前記無線基地局が、前記ＭＢＳＦＮサブフレームの送信タイミングで前記リレーノードに対して下り信号を送信するようにスケジューリングを行う工程Ｂと、
前記リレーノードが、前記ＭＢＳＦＮサブフレームの送信タイミング以外のタイミングで下り信号を送信するようにスケジューリングを行う工程Ｃとを有することを特徴とする移動通信方法。
【請求項２】
前記コネクションは、ＲＲＣコネクションであり、
前記信号は、「ＲＲＣ  Ｃｏｎｎｅｃｔｉｏｎ  Ｒｅｃｏｎｆｉｇｕｒａｔｉｏｎ」であることを特徴とする請求項１に記載の移動通信方法。
【請求項３】
無線基地局であって、
所定トリガを検出した場合に、リレーノードとの間で設定されているコネクションの構成を変更するための信号によって、該リレーノードに対して、ＭＢＳＦＮサブフレームの送信タイミングを通知するように構成されている通知部と、
前記ＭＢＳＦＮサブフレームの送信タイミングで前記リレーノードに対して下り信号を送信するようにスケジューリングを行うように構成されているスケジューリング部とを具備することを特徴とする無線基地局。
【請求項４】
前記コネクションは、ＲＲＣコネクションであり、
前記信号は、「ＲＲＣ  Ｃｏｎｎｅｃｔｉｏｎ  Ｒｅｃｏｎｆｉｇｕｒａｔｉｏｎ」であることを特徴とする請求項３に記載の無線基地局。
【請求項５】
リレーノードであって、
無線基地局から、該無線基地局と前記リレーノードとの間で設定されているコネクションの構成を変更するための信号を受信し、該信号から、ＭＢＳＦＮサブフレームの送信タイミングを取得するように構成されている取得部と、
前記ＭＢＳＦＮサブフレームの送信タイミング以外のタイミングで下り信号を送信するようにスケジューリングを行うように構成されているスケジューリング部とを具備することを特徴とするリレーノード。
【請求項６】
前記コネクションは、ＲＲＣコネクションであり、
前記信号は、「ＲＲＣ  Ｃｏｎｎｅｃｔｉｏｎ  Ｒｅｃｏｎｆｉｇｕｒａｔｉｏｎ」であることを特徴とする請求項５に記載のリレーノード。